(57)【要約】      （修正有）【課題】構造が簡単で低コストであり、釣り道具等の条件に柔軟に対応できるより取り具を提供する。【解決手段】より取り具１が、基板部２と、基板部２の一辺である第一折曲部１０で所定の折曲方向に折り曲げられた第一曲げ板部３と、基板部２の他の一辺である第二折曲部１１で、第一曲げ板部３の折曲方向とは反対方向に折り曲げられた第二曲げ板部４とを備える構成とした。【選択図】図１
0003200036.tif 000002
【実用新案登録請求の範囲】
【請求項１】
基板部と、
前記基板部の一辺である第一折曲部で所定の折曲方向に折り曲げられた第一曲げ板部と、
前記基板部の他の一辺である第二折曲部で、前記第一曲げ板部の前記折曲方向とは反対方向に折り曲げられた第二曲げ板部と
を備えることを特徴とするより取り具。
【請求項２】
前記第一曲げ板部および前記第二曲げ板部は、折曲角度を調整可能に構成されることを特徴とする請求項１に記載のより取り具。
【請求項３】
前記第一折曲部の第一折曲線と、前記第二折曲部の第二折曲線とが略垂直に交差することを特徴とする請求項１または２に記載のより取り具。
【請求項４】
前記第一折曲部の一端と、前記第二折曲部の一端との間に、肉抜円弧部が設けられることを特徴とする請求項１〜３のいずれか１項に記載のより取り具。
【請求項５】
前記基板部に、おもりと着脱可能に接続できる接続部が設けられることを特徴とする請求項１〜４のいずれか１項に記載のより取り具。
【請求項６】
前記基板部がおもりに接続され、前記おもりと一体に形成されることを特徴とする請求項１〜４のいずれか１項に記載のより取り具。
【考案の詳細な説明】
【技術分野】
【０００１】
本考案は、スピニングリール使用時に発生する糸よれを回復するための道具であるより取り具に関する。
【０００２】
スピニングリールを用いて釣りを行う場合、釣糸が捩じれてしまう糸よれの問題が発生する。一度糸よれが発生してしまうと、糸を切断したり、糸を巻き直したりする必要がある。これに対し、おもり本体に羽根を設けたり、溝を設けたりして、海面等の水辺に向かってキャストした後にリールを巻くことにより、おもり本体と釣糸が回転し、よりを取る道具が提案されている（例えば、特許文献１〜５）。
【先行技術文献】
【特許文献】
【０００３】
【特許文献１】特開昭６０−１８４３４２号公報
【特許文献２】実用新案登録第３０１３６９４号公報
【特許文献３】実用新案登録第３０４２９００号公報
【特許文献４】実用新案登録第３０８０７６８号公報
【特許文献５】特開２００８−１２５３７０号公報
【考案の開示】
【考案が解決しようとする課題】
【０００４】
特許文献１〜５に記載の道具は、おもり本体に羽根を設けたり、溝をもうけたりする構造のため、製造コストが比較的高くなってしまう。また、羽根の角度や溝の角度は変更することができず、おもり本体の回転が足らないと数回キャストを行わなければならなかったり、逆におもり本体の回転が多過ぎると釣糸が逆方向によれてしまったりする虞があった。また、おもりの回転方向も一定方向に限られてしまう不便さがあった。
【０００５】
本考案は、上記問題点を解決するものであり、簡単な構造で製造しやすく、回転の程度や回転方向を容易に変更可能なより取り具を提供することを目的とする。
【課題を解決するための手段】
【０００６】
請求項１の考案は、より取り具において、基板部と、前記基板部の一辺である第一折曲部で所定の折曲方向に折り曲げられた第一曲げ板部と、前記基板部の他の一辺である第二折曲部で、前記第一曲げ板部の前記折曲方向とは反対方向に折り曲げられた第二曲げ板部とを備えることを特徴とする。
【０００７】
請求項１の構成によれば、簡単な構造で低コストのより取り具を提供することができる。
【０００８】
請求項２の考案は、前記第一曲げ板部および前記第二曲げ板部は、折曲角度を調整可能に構成されることを特徴とする。
【０００９】
請求項２の構成によれば、使用者の好みに合わせてより取り具の回転の程度および回転方向を調整することができる。
【００１０】
請求項３の考案は、前記第一折曲部の第一折曲線と、前記第二折曲部の第二折曲線とが略垂直に交差することを特徴とする。
【００１１】
請求項３の構成によれば、水の抵抗を適切に受けて回転することができる。
【００１２】
請求項４の考案は、前記第一折曲部の一端と、前記第二折曲部の一端との間に、肉抜円弧部が設けられることを特徴とする。
【００１３】
請求項４の構成によれば、第一折曲部および第二折曲部を折り曲げやすくすることができる。
【００１４】
請求項５の考案は、前記基板部に、おもりと着脱可能に接続できる接続部が設けられることを特徴とする。
【００１５】
請求項５の構成によれば、市販のおもりにより取り具を容易に接続することができる。
【００１６】
請求項６の考案は、前記基板部がおもりに接続され、前記おもりと一体に形成されることを特徴とする。
【００１７】
請求項６の構成によれば、おもりを一体に形成しても、おもりと分離した場合と同様の効果を得ることができる。
【考案の効果】
【００１８】
本考案では、低コストで製造することができるより取り具を提供することができる。また、釣り道具や種々の条件により異なる糸よれの戻り具合に対し、釣り場で即座に回転角度を変更可能なより取り具を提供することができる。
【図面の簡単な説明】
【００１９】
【図１】本考案の実施例１におけるより取り具を示す上面図である。
【図２】同上、より取り具を示す側面図である。
【図３】同上、図１の方向Ａから見た図である。
【図４】同上、より取り具を示す側面図である。
【図５】同上、より取り具をおもりに接続した様子を示す図である。
【図６】本考案の実施例２におけるおもりと一体に形成されたより取り具を示す図である。
【考案を実施するための形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２１】
図１〜図５は実施例１を示し、図１は本考案の実施例におけるより取り具１を示す上面図である。また図２はその側面図である。
【００２２】
図１および図２に示すように、より取り具１は、基板部２と、第一曲げ板部３と、第二曲げ板部４とからなる。これらの部材２，３，４はすべて、例えば金属の一枚板からなり、金属としては特にステンレスまたはアルミニウムが好ましい。
【００２３】
基板部２は、平板状であり、その先端（図１中左方向）に、図５に示すおもり８に着脱可能に接続できる接続部５を有する。本実施例では、接続部５は取付孔６を有し、当該取付孔６にリング７を取付け、さらに当該リング７をおもり８の取付孔９に通すことで、より取り具１とおもり８とを着脱可能に接続している。
【００２４】
第一曲げ板部３は、基板部２の一辺である第一折曲部10で所定の折曲方向に折り曲げられている。第一曲げ板部３は、図１の上面図では図面奥方向、図２の側面図では図面下方向に示す折曲方向に折り曲げられている。
【００２５】
第二曲げ板部４は、基板部２の他の一辺である第二折曲部11で、第一曲げ板部３の折曲方向とは反対方向、すなわち、図１の上面図では図面手前方向、図２の側面図では図面上方向に折り曲げられている。
【００２６】
このような折曲方向の場合、リールで釣糸を巻き取ると、より取り具１は、水の抵抗を受けて、左回りに回転しながら進むことになる。これにより、右回りに捩じれた糸よれを戻して、正常な状態に回復することができる。
【００２７】
一方、図４では、第一曲げ板部３および第二曲げ板部４は、それぞれ図１および図２の場合と反対方向に折り曲げられている。このような構成により、リールで釣糸を巻き取ると、より取り具１は、水の抵抗を受けて、右回りに回転しながら進むことになる。これにより、左回りに捩じれた糸よれを戻して、正常な状態に回復することができる。
【００２８】
通常、左回転用および右回転用の２種類のより取り具１を用意するのが好ましいが、第一曲げ板部３および第二曲げ板部４を反対方向に折り曲げることで、回転方向を反対にするようにしてもよい。また、左回転用および右回転用の２種類のより取り具１を用意する場合には、例えばそれぞれを異なる色で着色することで、使用者が容易に判別することができるようになる。
【００２９】
糸よれの戻り具合は、釣竿やリール、釣糸の素材および太さ等の釣り道具、キャストした際の飛距離、および、糸よれを取るタイミング等によって異なる。本実施例では、使用者の好みによって調整できるよう、第一曲げ板部３および第二曲げ板部４は、折曲角度αを調整可能に構成される。ここで折曲角度αは、図１の方向Ａから見たときの図を示す図３に示されるように、第一曲げ板部３の水平軸Ｈに対する角度、および、第二曲げ板部４の水平軸Ｈに対する角度である。
【００３０】
このように折曲角度αを調整可能にするために、例えばステンレス材またはアルミニウム材を用いる場合には、板厚を１．０ｍｍ以下とすることが好ましい。また、第一折曲部10の一端と、第二折曲部11の一端との間に、円弧状の肉抜円弧部12を設けることにより、第一折曲部10および第二折曲部11を、水の抵抗によっては曲がらないが、例えば手力で折曲可能な程度の強度に形成しやすくすることができる。
【００３１】
第一折曲部10および第二折曲部11の好ましい折曲角度αは、上述のように釣り道具等によって変わるが、標準的な角度としては、水平位置から２０°程度が挙げられる。
【００３２】
本実施例では、第一折曲部10の第一折曲線13と、第二折曲部11の第二折曲線14とが略垂直に交差するように構成した。第一折曲線13と第二折曲線14とが交差する交差角度βによって、より取り具１の回転力等が若干変わるが、第一折曲部10および第二折曲部11の折曲角度αによって糸よれの戻り具合を調整可能であるので、当該交差角度βは特に垂直に限られない。
【００３３】
本実施例のより取り具１は、ステンレス板またはアルミニウム板を例えばレーザー加工機や型抜きで所定の形状に切り出し、金型で第一折曲部10および第二折曲部11を曲げ、バリ取りを行うだけで製造することができる。したがって、比較的安価なコストで製造可能であり、構造が簡単であるのでより取り具１が損傷して破壊される虞も少ない。
【００３４】
次に、本考案のより取り具１の使用例について説明する。
【００３５】
より取り具１を上述の方法等により、釣糸（図示せず）の先に取付ける。次に、通常の釣り動作と同様にして、水辺にキャストする。落水後、リールを巻くと、より取り具１の第一曲げ板部３および第二曲げ板部４が水の抵抗を受けて所定の回転方向に回転し、糸よれを戻して、釣糸を正常な状態に回復させる。
【００３６】
使用者が、このより取り具１を初めて使用する場合には、糸よれの戻り具合が、釣竿やリール、釣糸の素材および太さ等の釣り道具、キャストした際の飛距離、および、糸よれを取るタイミング等によって異なるので、実際に使用しながら釣り場状況や釣り具の特徴に合わせて、使用者の好みで第一折曲部10および第二折曲部11の折曲角度αを微調整できる。それにより、最適な状態でより取り具１を使用することができる。
【００３７】
本実施例では、請求項１に対応して、より取り具１が、基板部２と、基板部２の一辺である第一折曲部10で所定の折曲方向に折り曲げられた第一曲げ板部３と、基板部２の他の一辺である第二折曲部11で、第一曲げ板部３の折曲方向とは反対方向に折り曲げられた第二曲げ板部４とを備えるから、簡単な構造で低コストのより取り具１を提供することができる。
【００３８】
本実施例では、請求項２に対応して、第一曲げ板部３および第二曲げ板部４は、折曲角度αを調整可能に構成されることから、使用者の好みに合わせてより取り具１の回転の程度および回転方向を調整することができる。
【００３９】
本実施例では、請求項３に対応して、第一折曲部10の第一折曲線13と、第二折曲部11の第二折曲線14とが略垂直に交差することから、水の抵抗を適切に受けて回転することができる。
【００４０】
本実施例では、請求項４に対応して、第一折曲部10の一端と、第二折曲部11の一端との間に、肉抜円弧部12が設けられることから、第一折曲部10および第二折曲部11を折り曲げやすくすることができる。
【００４１】
本実施例では、請求項５に対応して、基板部２に、おもり８と着脱可能に接続できる接続部５が設けられることから、市販のおもり８により取り具１を容易に接続することができる。
【実施例２】
【００４２】
図６は実施例２を示しており、前記実施例１と同一部分には同一符号を付し、その詳細な説明を省略する。
【００４３】
本実施例では、図６に示すように、基板部２をおもり15に接続し、当該おもり15と一体に形成したより取り具１’とする。この場合、おもり15の先端に取付孔16を設け、釣糸に取付けられたスナップのリング（図示せず）を通して、より取り具１’を釣糸に接続することができる。おもり15は例えば鉛を用いて作製することができる。このようにおもり15と一体に形成した場合にも、上述のおもり８とより取り具１を別個に形成した場合と、同じ作用効果が得られる。
【００４４】
本実施例では、請求項６に対応して、基板部２がおもり15に接続され、前記おもり15と一体に形成されることから、おもり15を一体に形成しても、おもり８と分離した場合と同様の効果を得ることができる。
【００４５】
本考案は、前記実施例に限定されるものではなく、本考案の要旨の範囲内で種々の変形実施が可能である。例えば、本実施例では第一曲げ板部３および第二曲げ板部４を略長方形としたが、水の抵抗を受けることができる形状であれば、これに限らず種々の形状とすることができる。また、実施例１のおもり８は、図５の形状のものに限られず、市販されているものや自作のおもりを使用可能である。さらに、実施例２のおもり15も、図６の形状のものに限られず、その他の形状であってもよい。
【符号の説明】
【００４６】
１、１’  より取り具
２  基板部
３  第一曲げ板部
４  第二曲げ板部
５  接続部
８  おもり
10  第一折曲部
11  第二折曲部
12  肉抜円弧部
13  第一折曲線
14  第二折曲線
15  おもり
α  折曲角度
β  交差角度
【図１】
0003200036.tif 000003
【図２】
0003200036.tif 000004
【図３】
0003200036.tif 000005
【図４】
0003200036.tif 000006
【図５】
0003200036.tif 000007
【図６】
0003200036.tif 000008